(57)【要約】【課題】本発明は、用紙をスイッチバックさせて中綴じ処理を実行する後処理装置に中綴じ処理を実行させる場合に、正しいページ順で中綴じ製本物を出力することができる仕組みを提供する。【解決手段】後処理装置に、印刷装置から排紙される用紙をスイッチバックさせて、中綴じ製本を行うための蓄積トレイに蓄積させ、蓄積された複数枚の用紙に対して中綴じ製本処理を実行させる場合に、前記中綴じ製本処理が実行された複数枚の用紙に印刷された画像のページの順序が正しくなるよう画像形成の順序を決定する制御手段と、前記制御手段によって決定された順序で画像を用紙に印刷する印刷手段とを備える。【選択図】図２４Ａ
2014098757.tif 000002
【特許請求の範囲】
【請求項１】
後処理装置に、印刷装置から排紙される用紙をスイッチバックさせて、中綴じ製本を行うための蓄積トレイに蓄積させ、蓄積された複数枚の用紙に対して中綴じ製本処理を実行させる場合に、前記中綴じ製本処理が実行された複数枚の用紙に印刷された画像のページの順序が正しくなるよう画像形成の順序を決定する制御手段と、
前記制御手段によって決定された順序で画像を用紙に印刷する印刷手段を備えることを特徴とする印刷装置。
【請求項２】
印刷装置から排紙された複数枚の用紙が排紙される積載トレイと、前記複数枚の用紙に対して中綴じ製本処理が実行された製本物が排紙される中綴じ処理トレイと、前記印刷装置から排紙された用紙を前記積載トレイに導く第１の搬送路と、前記第１の搬送路を搬送される用紙をスイッチバックさせて前記中綴じ処理トレイに導く第２の搬送路とを備える後処理装置に用紙を搬送する搬送手段と、
前記印刷装置に入力された印刷データに中綴じ製本処理を実行するよう指定されているか否かを判断する第１の判断手段と、
前記第１の判断手段により中綴じ製本指定がされていると判断された場合には、１部あたりの出力枚数と前記後処理装置で処理可能な中綴じ可能枚数に基づいて用紙の排紙先を決定する排紙先決定手段と、
前記排紙先決定手段により排紙先が前記積載トレイに決定された場合には、前記製本物の外側に該当する用紙を排紙した後に前記製本物の内側に該当する用紙を排紙するように画像形成の順序を制御する第１の制御手段と、
前記排紙先決定手段により排紙先が前記中綴じ処理トレイに決定された場合には、前記製本物の内側に該当する用紙を排紙した後に前記製本物の外側に該当する用紙を排紙するように画像形成の順序を制御する第２の制御手段とを備えることを特徴とする印刷装置。
【請求項３】
前記印刷装置に入力された印刷データに前記製本物の表紙をつける指定がされているか否かを判断する第２の判断手段と、
前記第２の判断手段により前記製本物の表紙をつける指定がされたと判断し、且つ前記排紙先決定手段により排紙先が前記積載トレイに決定された場合には、前記製本物の表紙に該当する用紙を排紙した後に前記製本物の本文に該当する用紙を排紙するように画像形成の順序を制御する第３の制御手段と、
前記第２の判断手段により前記製本物の表紙をつける指定がされたと判断し、且つ前記排紙先決定手段により排紙先が前記中綴じ処理トレイに決定された場合には、前記製本物の本文に該当する用紙を排紙した後に前記製本物の表紙に該当する用紙を排紙するように画像形成の順序を制御する第４の制御手段とをさらに備えることを特徴とする請求項２に記載の印刷装置。
【請求項４】
前記１部あたりの出力枚数を、前記画像データのページ数に基づいて算出する算出手段をさらに備え、
前記排紙先決定手段は、前記算出手段によって算出された前記１部あたりの出力枚数と前記後処理装置で処理可能な中綴じ可能枚数に基づいて用紙の排紙先を決定することを特徴とする請求項２または３に記載の印刷装置。
【請求項５】
前記第１の制御手段または前記第２の制御手段によって画像形成の順序が制御された後、画像を用紙に印刷する印刷手段をさらに備えることを特徴とする請求項２乃至４のいずれか１項に記載の印刷装置。
【請求項６】
印刷装置から排紙された複数枚の用紙が排紙される積載トレイと、前記複数枚の用紙に対して中綴じ製本処理が実行された製本物が排紙される中綴じ処理トレイと、前記印刷装置から排紙された用紙を前記積載トレイに導く第１の搬送路と、前記第１の搬送路を搬送される用紙をスイッチバックさせて前記中綴じ処理トレイに導く第２の搬送路とを備える後処理装置に用紙を搬送する搬送工程と、
前記印刷装置に入力された印刷データに中綴じ製本処理を実行するよう指定されているか否かを判断する第１の判断工程と、
前記第１の判断工程にて中綴じ製本指定がされていると判断された場合には、
１部あたりの出力枚数と前記後処理装置で処理可能な中綴じ可能枚数に基づいて用紙の排紙先を決定する排紙先決定工程と、
前記排紙先決定工程にて排紙先が前記積載トレイに決定された場合には、前記製本物の外側に該当する用紙を排紙した後に前記製本物の内側に該当する用紙を排紙するように画像形成の順序を制御する第１の制御工程と、
前記排紙先決定工程にて排紙先が前記中綴じ処理トレイに決定された場合には、前記製本物の内側に該当する用紙を排紙した後に前記製本物の外側に該当する用紙を排紙するように画像形成の順序を制御する第２の制御工程とを備えることを特徴とする印刷装置の制御方法。
【請求項７】
請求項６に記載の制御方法を後処理装置に実行させるためのコンピュータに読み取り可能なプログラム。
【発明の詳細な説明】
【技術分野】
【０００１】
本発明は、印刷装置及びその制御方法、並びにプログラムに関し、特に、中綴じ処理が可能な後処理装置を接続可能な印刷装置及びその制御方法、並びにプログラムに関する。
【背景技術】
【０００２】
従来、複数枚の用紙の中央を綴じた後、綴じられた用紙を２つに折り、本の形にして出力する中綴じ処理を実行する後処理装置が知られている（特許文献１参照）。この後処理装置では、図２５（ａ）に示すように、印刷装置（不図示）から搬送された用紙は、ユーザによって設定されたフィニッシング処理の種類に応じて、積載トレイ１０１，１０２、中綴じ処理トレイ１０３のいずれかに排紙される。例えば、フィニッシング処理を実行しない場合、用紙は積載トレイ１０１に排紙される。通常のステイプル処理を実行する場合、積載トレイ１０２に排紙され、中綴じ処理を実行する場合、中綴じ処理トレイ１０３に排紙される。
【０００３】
また、後処理装置の中綴じ処理部では、装置上の制限として、中綴じ可能枚数の制限が存在する。従来、この中綴じ可能枚数の制限を超える画像データが入力された場合、後処理装置の排紙先を自動的に変更し、中綴じ処理部に用紙が搬送されないように制御している画像処理装置も提案されている（特許文献２参照）。
【先行技術文献】
【特許文献】
【０００４】
【特許文献１】特開２０１０−１６８１３４号公報
【特許文献２】特開２００２−３３１７３０号公報
【発明の概要】
【発明が解決しようとする課題】
【０００５】
また、近年、図２５（ｂ）に示すように、ステイプル処理を実行する搬送パスと中綴じ処理を実行する搬送パスを共通化することで小型化を実現した後処理装置が提案されている。この後処理装置は、中綴じ処理を実行する場合、ステイプル処理を実行する搬送パス１０４に進入した用紙を、搬送ローラ対１０６の逆回転によりスイッチバックさせて、搬送パス１０５に搬送する。そして、後処理装置は、中綴じ処理を行うための中間トレイに複数枚蓄積された用紙に対して中綴じ処理を実行する方式が採用されている。
【０００６】
しかしながら、図２５（ｂ）に示す後処理装置を用いて製本処理を実行する場合、画像を印刷した用紙をスイッチバックしてから中綴じ処理を実行するため、図２５（ｂ）と同じ画像の形成順序では正しいページ順の製本物が得られない。
【０００７】
また、中綴じ指定の有無により排紙先が異なるため、製本処理時の用紙に対する画像形成の順序を排紙先に応じて柔軟に切り替える必要がある。このため、坪量の大きな厚紙等、両面印刷ができない用紙を製本物の表紙として使用する場合に、ユーザは排紙先を考慮した上で表紙の表面と裏面のいずれに画像形成されるかを意識して印刷指定を行う必要があり、ユーザに高度な操作技術が求められる。また、ユーザが高度な操作技術を用いて印刷指定を行ったとしても、後処理装置の中綴じ可能枚数の制限を超える画像データが入力された場合には中綴じ処理を実行しない積載トレイに排紙されるため、ユーザの意図した成果物が得られないという問題もある。
【０００８】
本発明は、上記問題に鑑みてなされたものであり、用紙をスイッチバックさせて中綴じ処理を実行する後処理装置に中綴じ処理を実行させる場合に、正しいページ順で中綴じ製本物を出力することができる仕組みを提供することを目的とする。また、中綴じ処理が実行可能な用紙後処理装置で製本処理を実行する場合に、異なる排紙先で同じ画像レイアウトの成果物が得られる仕組みを提供することを目的とする。
【課題を解決するための手段】
【０００９】
上記目的を達成するために、本発明の印刷装置は、後処理装置に、印刷装置から排紙される用紙をスイッチバックさせて、中綴じ製本を行うための蓄積トレイに蓄積させ、蓄積された複数枚の用紙に対して中綴じ製本処理を実行させる場合に、前記中綴じ製本処理が実行された複数枚の用紙に印刷された画像のページの順序が正しくなるよう画像形成の順序を決定する制御手段と、前記制御手段によって決定された順序で画像を用紙に印刷する印刷手段とを備える。
【００１０】
また、本発明の印刷装置は、印刷装置から排紙された複数枚の用紙が排紙される積載トレイと、前記複数枚の用紙に対して綴じ処理と折り処理が実行された製本物が排紙される中綴じ処理トレイと、前記印刷装置から排紙された用紙を前記積載トレイに導く第１の搬送路と、前記第１の搬送路を搬送される用紙を搬送ローラによりスイッチバックさせて前記中綴じ処理トレイに導く第２の搬送路とを備える用紙後処理装置に接続可能な印刷装置であって、前記印刷装置に入力された画像データに中綴じ製本指定がされているか否かを判断する第１の判断手段と、前記第１の判断手段により中綴じ製本指定がされていると判断された場合には、１部あたりの出力枚数を算出する算出手段と、前記算出手段により算出された１部あたりの出力枚数と前記用紙後処理装置で処理可能な中綴じ可能枚数を比較する比較手段と、前記比較手段による比較結果に基づいて用紙の排紙先を決定する排紙先決定手段と、前記排紙先決定手段により排紙先が前記積載トレイに決定された場合には、前記製本物の外側に該当する用紙を排紙した後に前記製本物の内側に該当する用紙を排紙するように画像形成の順序を制御する第１の制御手段と、前記排紙先決定手段により排紙先が前記中綴じ処理トレイに決定された場合には、前記製本物の内側に該当する用紙を排紙した後に前記製本物の外側に該当する用紙を排紙するように画像形成の順序を制御する第２の制御手段とを備えることを特徴とする。
【発明の効果】
【００１１】
本発明によれば、用紙をスイッチバックさせて中綴じ処理を実行する後処理装置に中綴じ処理を実行させる場合に、正しいページ順で中綴じ製本物を出力することができる。また、スイッチバック機構を搭載した用紙後処理装置の排紙先に応じて、製本物の外側に該当する用紙と製本物の内側に該当する用紙の排紙順序を切り替えるために画像形成の順序を制御する。特に、両面印刷ができない用紙を製本物の表紙として使用する場合に、製本物の表紙に該当する用紙と製本物の本文に該当する用紙の排紙順序を切り替えるために画像形成の順序を制御する。これにより、用紙後処理装置の異なる排紙先でも、ユーザは同じ画像レイアウトの製本物を得ることができる。
【図面の簡単な説明】
【００１２】
【図１】本発明の実施形態に係る印刷装置の概略構成を示す図である。
【図２】フィニッシャの概略構成を示す図である。
【図３】後端検知センサで用紙の後端を検知した状態にあるフィニッシャの概略部分図である。
【図４】斜行修正ローラのニップに用紙の先端が突き当てた状態にあるフィニッシャの概略部分図である。
【図５】用紙の先端がストッパに突き当てられた状態にあるフィニッシャの概略部分図である。
【図６】用紙束が搬送方向下流へ移動する状態にあるフィニッシャの概略部分図である。
【図７】束搬送ローラ対によって中綴じ処理トレイに排出されるフィニッシャの概略部分図である。
【図８】印刷装置におけるコントローラの機能構成を示すブロック図である。
【図９】印刷装置における操作部の外観構成を示す図である。
【図１０】操作部上の表示部に表示される標準画面の一例を示す図である。
【図１１】表示部に表示される応用モード設定画面の一例を示す図である。
【図１２】表示部に表示される製本時の原稿サイズの選択画面の一例を示す図である。
【図１３】表示部に表示される製本時の仕上がりの設定画面の一例を示す図である。
【図１４】表示部に表示される製本時の本文の用紙選択画面の一例を示す図である。
【図１５】表示部に表示される製本時の中綴じ設定画面の一例を示す図である。
【図１６】表示部に表示される応用モード設定後の応用モード設定画面を示す図である。
【図１７】表示部に表示される応用モード設定後の画面の一例を示す図である。
【図１８】（ａ）〜（ｃ）製本処理時の画像のレイアウト方法を説明するための図である。
【図１９】（ａ）〜（ｄ）中綴じ製本処理時の画像のレイアウト方法を説明するための図である。
【図２０】表示部に表示される製本時の表紙の設定画面の一例を示す図である。
【図２１】表示部に表示される製本時の表紙の用紙設定画面の一例を示す図である。
【図２２】（ａ）〜（ｃ）表紙が追加設定されたときの製本処理時の画像のレイアウト方法を説明するための図である。
【図２３】（ａ）〜（ｄ）表紙が追加設定されたときの中綴じ製本処理時の画像のレイアウト方法を説明するための図である。
【図２４Ａ】印刷装置における製本処理の流れを示すフローチャートである（その１）。
【図２４Ｂ】印刷装置における製本処理の流れを示すフローチャートである（その２）。
【図２５】（ａ）は、従来の用紙後処理装置の概略構成を示す図である。（ｂ）は、従来の他の用紙後処理装置の概略構成を示す図である。
【発明を実施するための形態】
【００１３】
以下、本発明の実施の形態を図面を参照して詳細に説明する。
【００１４】
図１は、本発明の実施形態に係る印刷装置の概略構成を示す図である。本実施形態では、印刷装置として、コピー、プリンタ、ファクシミリ等の機能を有する複合機を例に説明する。しかしながら、印刷装置は単機能の装置であってもよい。
【００１５】
図１において、印刷装置は、スキャナ部３０１と、ドキュメントフィーダ（ＤＦ）３０２と、カラー４色ドラムを備えるプリンタ部３１３とで構成され、給紙デッキ３１４及びフィニッシャ（用紙後処理装置）３１５に接続されている。給紙デッキ３１４及びフィニッシャ３１５は、いずれも印刷装置に接続可能に構成されている。
【００１６】
まず、スキャナ部３０１を中心に行われる読取動作について説明する。
【００１７】
原稿台に原稿をセットして読取動作を行う場合、ユーザは、原稿台３０７に原稿をセットしてＤＦ３０２を閉じる。ＤＦ３０２が閉じられたことを開閉センサ（不図示）が検知すると、スキャナ部３０１の筐体内にある反射式の原稿サイズ検知センサ（不図示）が、セットされた原稿のサイズを検知する。原稿サイズが検知されたら、光源３１０は原稿を照射し、照射された光が、反射板３１１、レンズ３１２を介してＣＣＤ３４３に入射する。ＣＣＤ３４３は、入射された光をデジタル信号に変換し、スキャナ部３０１のコントローラ（不図示）に送る。コントローラは、送られてきたデジタル信号に、所望の画像処理を行ってレーザ記録信号に変換し、画像データとしてメモリに格納する。
【００１８】
ＤＦ３０２上に原稿をセットして読取動作を行う場合、ユーザは、ＤＦ３０２の原稿セット部３０３のトレイ上に原稿をフェイスアップで載置する。原稿が載置されると、原稿有無検知センサ３０４は、原稿がセットされたことを検知する。コントローラは、原稿有無検知センサ３０４によって、原稿がセットされたことを検知すると、給紙ローラ３０５と搬送ベルト３０６を回転させて、原稿を原稿台３０７上の所定の位置まで搬送する。原稿を所定の位置まで搬送すると、コントローラは、原稿台での読み取り動作と同様の読取動作を行い、画像データをメモリに格納する。そして、読取動作が完了した原稿を、搬送ローラ３０８を経由して原稿排紙トレイ３０９へ排紙する。
【００１９】
ＤＦ３０２上にセットされた原稿が複数枚存在する場合、コントローラは、読取動作が完了した原稿を排紙すると同時に、給紙ローラ３０５を経由して次の原稿を給紙し、次の原稿の読取動作を行う。このようにして、複数枚の原稿の読取動作を行う。
【００２０】
次に、プリンタ部３１３によって行われる印刷動作について説明する。
【００２１】
コントローラ内のメモリに一旦記憶された記録信号（印刷画像データ）は、プリンタ部３１３へと転送され、レーザ記録部（不図示）でＹｅｌｌｏｗ、Ｍａｇｅｎｔａ、Ｃｙａｎ、Ｂｌａｃｋのそれぞれの色のための記録レーザ光に変換される。そして、当該記録レーザ光は、各色の感光体３１６に照射され、各感光体３１６に静電潜像が形成される。そして、トナーカートリッジ３１７から供給されるトナーによりトナー現像が行われ、可視化された画像は中間転写ベルト３２１に一次転写される。その後、中間転写ベルト３２１は時計回転方向に回転する。そして、用紙カセット３１８あるいは給紙デッキ３１４から給紙搬送路３１９を通って給送された用紙が二次転写位置３２０に来たところで、中間転写ベルト３２１から用紙へと画像が転写される。画像が転写された用紙は、定着器３２２で、加圧と熱によりトナーが定着され、排紙搬送路を搬送される。そして、用紙は、フィニッシャ３１５への排紙口３２５へと排紙される。
【００２２】
両面印刷の場合、用紙が定着器３２２を通過後に、フラッパ３２７が搬送路を切り替え、用紙がスイッチバックして下方に送られ、両面印刷用紙搬送路３３０を経て再び二次転写位置３２０に給送され、両面印刷動作が実現される。
【００２３】
次に、フィニッシャ３１５で行われる動作について説明する。
【００２４】
フィニッシャ３１５は、ユーザの設定に応じて、用紙に対して後処理を加える。具体的には、フィニッシャ３１５は、ステイプル（１個所、２箇所綴じ）やパンチ（２穴、３穴、４穴）、中綴じ処理等の機能を有する。
【００２５】
フィニッシャ３１５は、積載トレイ３２８，３２９を備える。フィニッシャ３１５への排紙口３２５を通過した用紙は、ユーザの設定によって、例えばコピー、プリンタ、ＦＡＸの機能ごとに排紙先が振り分けられる。例えば、プリンタとして利用される場合、プリンタドライバにより白黒プリント／カラープリント、用紙サイズ、２ＵＰ・４ＵＰ印刷・Ｎ−ＵＰ印刷、両面、ステイプル、パンチ、中綴じ製本、合紙、表紙、裏表紙などの各種設定が可能である。
【００２６】
次に、フィニッシャ３１５の構成及び動作を図２〜図７を参照して説明する。
【００２７】
図２において、フィニッシャ３１５は、搬送ローラ対３１〜３９と、先端検知センサ５０，５３と、後端検知センサ４８と、ステイプラ４２と、突き板４３と、ストッパ４４と、折りローラ４５，４６と、束搬送ローラ対４７とを備えている。フィニッシャ３１５は、印刷装置のコントローラからのコマンドによって動作する構成であってもよいし、独自のコントローラによって動作する構成であってもよい。
【００２８】
印刷装置から搬送された用紙は、ユーザによって設定されたフィニッシング処理の種類に応じて、積載トレイ３２８，３２９、中綴じ処理トレイ３３１のいずれかに排紙される。例えば、フィニッシング処理を実行しない場合、用紙は積載トレイ３２８に排紙される。通常のステイプル処理を実行する場合、積載トレイ３２９に排紙され、後述する中綴じ処理を実行する場合、中綴じ処理トレイ３３１に排紙される。例えば、フィニッシャ３１５の用紙の入口から積載トレイ３２８，３２９への搬送路は例えば第１の搬送路となる。
【００２９】
印刷装置から搬送された用紙は、搬送ローラ対３１，３７，３８により用紙の後端が後端検知センサ４８にくるまで搬送される。そして、後端検知センサ４８で用紙の後端が検知されると、用紙を挟持している搬送ローラ対３７，３８が停止する（図３）。
【００３０】
次に、搬送ローラ対３７，３８の逆回転により用紙をスイッチバックさせて、搬送ローラ対３６により用紙の先端が先端検知センサ５０にくるまで搬送される。そして、先端検知センサ５０で用紙の先端が検知されると、用紙を挟持している搬送ローラ対３６が減速し、斜行修正ローラ対５１のニップに用紙の先端が突き当てられる（図４）。
【００３１】
用紙の先端が斜行修正ローラ対５１のニップに突き当たった後も、搬送ローラ対３６はしばらく回転し続ける。そして、ループ空間において用紙がループを形成した後、搬送ローラ対３６が停止する。
【００３２】
次に、斜行修正ローラ対５１が回転を始める。用紙が斜行している場合は、斜行修正ローラ対５１によって斜行が修正される。そして、斜行が修正された用紙は、搬送ローラ対３９の方向へ搬送される。用紙の先端が先端検知センサ５３によって検知されると、その時点から所定の量だけ用紙が搬送され、用紙の先端がストッパ４４に突き当てられる（図５）。このとき、図５に示すように、ステイプラ４２による綴じ位置が用紙の中央部にくるように、用紙はストッパ４４によって位置決めされる。
【００３３】
上記の動作を繰り返し、複数枚の用紙が搬送パス４１（蓄積トレイ）に順次搬送される。そして、製本物を構成する全ての用紙が搬送パス４１（蓄積トレイ）内部に搬送されると、それらの用紙は不図示の幅方向整合板によって幅方向を整合され、搬送パス４１内部で用紙束を形成する。このとき、搬送パス４１（蓄積トレイ）内部に搬送される用紙は、製本物の本文の内側に該当する用紙から順次搬送され、製本物の表紙に該当する用紙が最後になるように搬送される。そして、中綴じ処理を行うように設定されている場合、ステイプラ４２が、用紙束に対して綴じ処理を行う。ステイプラ４２によって用紙束が綴じられると、用紙束を支持していたストッパ４４が搬送方向下流側へ移動する。それに伴い、用紙束が搬送方向下流へ移動する（図６）。
【００３４】
ストッパ４４は、用紙束の中央部が突き板４３の位置にくるように、用紙束を位置決めする。そして、ストッパ４４によって位置決めされた用紙束の折り目が形成される部分に対して、突き板４３の先端が当接し、用紙束を折りローラ４５，４６のニップに押し込んで用紙束に折り目を形成する。そして、折りローラ４５，４６によって折り目が形成された用紙束は、束搬送ローラ対４７によって中綴じ処理トレイ３３１に排出される（図７）。
【００３５】
次に、印刷装置のスキャナ部３０１やプリンタ部３１３、ネットワークインタフェース部の制御を行うコントローラについて図８を用いて説明する。
【００３６】
図８は、印刷装置におけるコントローラの機能構成を示すブロック図である。
【００３７】
メインコントローラ４０１は、主にＣＰＵ４０２と、バスコントローラ４０３、及び各種Ｉ／Ｆコントローラ回路から構成される。ＣＰＵ４０２とバスコントローラ４０３は、機器全体の動作を制御する。ＣＰＵ４０２は、ＲＯＭ４０４からＲＯＭ  Ｉ／Ｆ４０５を経由して読み込んだプログラムに基づいて動作する。また、外部のＰＣから受信したＰＤＬ（ページ記述言語）コードデータを解釈し、ラスターイメージデータに展開する動作も、このプログラムに記述されており、ソフトウェアによって処理される。バスコントローラ４０３は、各Ｉ／Ｆから入出力されるデータ転送を制御するものであり、バスの調停やＤＭＡデータ転送の制御を行う。
【００３８】
ＤＲＡＭ４０６は、ＤＲＡＭ  Ｉ／Ｆ４０７によってメインコントローラ４０１と接続されており、ＣＰＵ４０２が動作するためのワークエリアや、画像データを蓄積するためのエリアとして使用される。
【００３９】
コーデック（Ｃｏｄｅｃ）４０８は、ＤＲＡＭ４０６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。
【００４０】
ＳＲＡＭ４０９は、コーデック４０８の一時的なワーク領域として使用される。コーデック４０８は、Ｉ／Ｆ４１０を介してメインコントローラ４０１と接続される。コーデック４０８とＤＲＡＭ４０６との間のデータの転送は、バスコントローラ４０３によって制御され、ＤＭＡ転送される。
【００４１】
グラフィックプロセッサ（Ｇｒａｐｈｉｃ）４２４は、ＤＲＡＭ４０６に蓄積されたラスターイメージデータに対して、画像回転、画像変倍、色空間変換、二値化の処理をそれぞれ行う。
【００４２】
ＳＲＡＭ４２５は、グラフィックプロセッサ４２４の一時的なワーク領域として使用される。グラフィックプロセッサ４２４は、Ｉ／Ｆを介してメインコントローラ４０１と接続される。グラフィックプロセッサ４２４とＤＲＡＭ４０６との間のデータの転送は、バスコントローラ４０３によって制御され、ＤＭＡ転送される。
【００４３】
ネットワークコントローラ４１１は、Ｉ／Ｆ４１３によってメインコントローラ４０１と接続され、コネクタ４１２によって外部のネットワークと接続される。ネットワークとしては一般的にイーサネット（登録商標）があげられる。外部のＰＣから受信した印刷データは、ネットワークコントローラ４１１によって受信制御され、ＣＰＵ４０２へと送られる。ＣＰＵ４０２は、送られた印刷データを、ＤＲＡＭ４０６あるいはＨＤ４４０に格納して処理する。
【００４４】
汎用高速バス４１５には、拡張コネクタ４１４とＩ／Ｏ制御部４１６が接続される。本実施形態で、フィニッシャ３１５とのコマンドの送受信は、当該汎用高速バス４１５を通して行われる。Ｉ／Ｏ制御部４１６には、スキャナ部３０１、プリンタ部３１３の各ＣＰＵと制御コマンドを送受信するための調歩同期シリアル通信コントローラ４１７が２チャンネル装備されている。Ｉ／Ｏ制御部４１６は、Ｉ／Ｏバス４１８によってスキャナＩ／Ｆ４２６、プリンタＩ／Ｆ４３０に接続されている。
【００４５】
パネルＩ／Ｆ４２１は、ＬＣＤコントローラ４２０に接続され、図９に示す操作部５０１上の液晶画面に表示を行うためのＩ／Ｆと、ハードキーやタッチパネルキーの入力を行うためのキー入力Ｉ／Ｆとから構成される。
【００４６】
図９に示す操作部５０１は、液晶表示部と、液晶表示部上に張り付けられたタッチパネル入力装置と、複数個のハードキーとを有する。タッチパネルまたはハードキーにより入力された信号は、前述したパネルＩ／Ｆ４２１を介してＣＰＵ４０２に伝えられる。液晶表示部は、パネルＩ／Ｆ４２１から送られてきた画像データを表示する。液晶表示部には、印刷装置の操作における機能表示や画像データ等を表示する。操作部５０１については、後に説明する。
【００４７】
リアルタイムクロックモジュール４２２は、機器内で管理する日付と時刻を更新／保存するためのもので、バックアップ電池４２３によってバックアップされている。
【００４８】
Ｅ−ＩＤＥ  Ｉ／Ｆ４３９は、外部記憶装置を接続するためのものである。本実施形態において、ＣＰＵ４０２は、このＥ−ＩＤＥ  Ｉ／Ｆ４３９を介してハードディスクドライブ４３８を接続し、ＨＤ４４０へ画像データを記憶させたり、ＨＤ４４０から画像データを読み出す動作を行う。コネクタ４２７，４３２は、それぞれスキャナ部３０１とプリンタ部３１３に接続され、同調歩同期シリアルＩ／Ｆ４２８，４３３とビデオＩ／Ｆ４２９，４３４とから構成される。
【００４９】
スキャナＩ／Ｆ４２６は、コネクタ４２７を介してスキャナ部３０１と接続され、また、スキャナバス４４１によってメインコントローラ４０１と接続されており、スキャナ部３０１から受け取った画像に対して所定の処理を施す機能を有する。さらに、スキャナＩ／Ｆ４２６は、スキャナ部３０１から送られたビデオ制御信号をもとに生成した制御信号を、ビデオＩ／Ｆ４２９に出力する機能も有する。スキャナバス４２９からＤＲＡＭ４０６へのデータ転送は、バスコントローラ４０３によって制御される。
【００５０】
プリンタＩ／Ｆ４３０は、コネクタ４３２を介してプリンタ部３１３と接続され、また、プリンタバス４３１によってメインコントローラ４０１と接続される。プリンタＩ／Ｆ４３０は、メインコントローラ４０１から出力された画像データに所定の処理を施して、プリンタ部３１３へ出力する機能を有する。さらに、プリンタＩ／Ｆ４３０は、プリンタ部３１３から送られたビデオ制御信号をもとに生成した制御信号を、プリンタバス４３１に出力する機能も有する。ＤＲＡＭ４０６上に展開されたラスターイメージデータのプリンタ部３１３への転送は、バスコントローラ４０３によって制御され、プリンタバス４３１、ビデオＩ／Ｆ４３４を経由して、プリンタ部３１３へＤＭＡ転送される。
【００５１】
ＳＲＡＭ４３６は、バックアップ電池４２３から供給される電源により、装置全体が電源遮断されても記憶内容を保持できる構成となっているメモリであり、バス４３５を介してＩ／Ｏ制御部４１６と接続されている。ＥＥＰＲＯＭ４３７も同様にバス４３５を介してＩ／Ｏ制御部４１６と接続されているメモリである。
【００５２】
次に、図９を用いて、操作部５０１について説明する。
【００５３】
ユーザは、操作部５０１を介して各種印刷設定を行なう。リセットキー５０２は、ユーザが設定した設定値などを取り消すためのキーである。ストップキー５０３は、動作中のジョブを中止させるためのキーである。テンキー５０４は、置数などの数値入力を行うためのキーである。
【００５４】
表示部５０５は、タッチパネルと液晶表示部が一体となっており、ＣＰＵ４０２からの指示に基づいて様々な画面を液晶表示部によって表示したり、タッチパネルを介してユーザから指示を受け付けたりする。
【００５５】
スタートキー５０６は原稿の読み込みなどジョブをスタートさせるためのキーである。クリアキー５０７は設定などをクリアするためのキーである。ランプ５０８は、ジョブの実行中である場合や、印刷装置やフィニッシャ３１５にエラーが発生している場合に点灯することによって、ユーザに装置の状態を通知する。
【００５６】
次に、図１０を用いて、操作部５０１の表示部５０５に表示される画面について説明する。
【００５７】
図１０は、表示部５０５に表示される標準画面の一例を示す図である。
【００５８】
画面上部に表示されているタブ１２０１〜１２０４は、印刷装置で実行可能な各機能を選択するためのタブである。左から順に、コピー機能（シンプル）、コピー機能（クイック）、送信／ファクス機能、ボックス機能を示している。
【００５９】
コピー機能（シンプル）、コピー機能（クイック）は、スキャナ部３０１で読み取った原稿の画像データを、プリンタ部３１３で印刷し、必要に応じて、ステイプルや中綴じ処理等のフィニッシング処理を行う機能である。ユーザは、コピー機能（シンプル）またはコピー機能（クイック）が選択された状態で、コピー機能に関する設定を行うことができる。なお、コピー機能（クイック）は、コピー機能（シンプル）よりも多くの設定を１つの画面で設定することができる機能である。
【００６０】
送信／ファクス機能は、ＦＡＸ送信やＥメール送信、ファイルサーバへの送信などの送信機能である。ボックス機能は、スキャナ部３０１で読み込んだ画像データをＨＤ４４０に格納する機能、または、ＨＤ４４０に格納されたデータの操作やプリントを行う機能である。
【００６１】
上述した各機能のタブが選択されると、それぞれの詳細設定が出来る画面が表示される。
【００６２】
図１０に示す画面は、コピー機能（シンプル）が選択された状態のコピー設定画面であり、コピーに関する種々の設定をユーザから受け付ける。図１０に示すコピー設定画面には、例えば、カラー／モノクロ／自動を選択するためのボタンや、片面／両面の指定を行うためのボタン、コピー倍率を指定するためのボタン、フィニッシング処理を行うためのボタン等が含まれている。フィニッシング処理を行うためのボタンには２種類ある。１種類目は「仕上げ」ボタンである。「仕上げ」ボタンは、用紙の端をステイプラによって綴じるステイプル処理を実行するための設定を受け付ける画面を表示させるためのボタンである。２種類目は「応用モード」ボタンである。「応用モード」ボタンは、印刷装置に接続されたフィニッシャ３１５による中綴じ処理などのフィニッシング処理を実行するための設定を受け付ける画面を表示させるためのボタンである。
【００６３】
ユーザは、製本処理が行われた製本物を手に入れたい場合に、印刷装置及びフィニッシャ３１５に処理を実行させるため、図１０〜図１７に示す画面を介して設定を行う。ユーザによって製本処理を実行させるための設定が行われると、印刷装置は、設定に基づいて印刷するページのレイアウトを行った画像を生成し、生成された画像に従って印刷を実行する。そして、フィニッシャ３１５は、設定に基づいて適切なフィニッシング処理を行う。
【００６４】
ユーザは、まず、図１０に示す画面で「応用モード」ボタン１２０５を押す。「応用モード」ボタン１２０５が押されると、操作部５０１に図１１に示す画面が表示される。そして、図１１に示す画面の「製本」ボタン１３０１が押されることによって、図１２に示すような製本処理の設定を行うための画面が表示される。ユーザは、図１２に示す画面を介して、スキャナ部３０１に読み込ませる原稿のサイズを指定する。図１２に示す例では、原稿のサイズとして、Ａ４サイズの原稿が指定されている。そして、図１２に示す「次へ」ボタン１３０１が押されると、図１３に示す画面が表示される。ユーザは、図１３の画面を介して、製本物を左開きにするか、右開きにするかを設定する。そして、図１３の画面の「次へ」ボタン１４０１が押されると、図１４に示す画面が表示される。ユーザは、図１４に示す画面を介して、製本物の本文の用紙サイズを選択する。また、ユーザは、図１４の画面を介して製本物に表紙をつけるか否かを設定することもできる。製本物に表紙をつける機能については後述する。
【００６５】
図１４に示す画面で「次へ」ボタン１５０１が押されると、図１５に示す画面が表示される。図１５に示す画面は、製本物の仕上がりを設定するための画面である。製本の仕上がりには下記の３つの形態がある。
【００６６】
形態１：中とじする（中綴じ製本処理を実行する）
形態２：サドル折り（中折り製本処理を実行する）
形態３：中とじしない（製本レイアウト処理を実行する）
形態１の場合、印刷装置で印刷された用紙は、フィニッシャ３１５に搬送され、ストッパ４４によってフィニッシャ３１５の内部の図５に示す位置に蓄積される。そして、印刷された用紙が所定の枚数揃ったところで、用紙の中央を、ステイプラ４２によって綴じる綴じ処理が行われる。その後、綴じ処理が実行された用紙は、突き板４３及び折りローラ４５，４６によって２つに折る折り処理が実行され、束搬送ローラ対４７により搬送されて中綴じ処理トレイ３３１に排紙される。
【００６７】
形態２の場合、印刷装置で印刷された用紙は、フィニッシャ３１５に搬送され、フィニッシャ３１５の内部の図５に示す位置に蓄積される。そして、印刷された用紙が、所定の枚数揃ったところで、突き板４３及び折りローラ４５，４６によって２つに折る折り処理が実行され、束搬送ローラ対４７により搬送されて中綴じ処理トレイ３３１に排紙される。この場合、綴じ処理は実行されない。
【００６８】
形態３の場合、製本用のレイアウトでページ画像を配置するが、綴じ処理も折り処理も行うことなく排紙する。この場合、中綴じ処理トレイ３３１ではなく、積載トレイ３２８に排紙する。
【００６９】
図１５に示す画面で、製本物の仕上がりを設定して「ＯＫ」キー１６０１が押されると、図１６に示す画面が表示される。ＣＰＵ４０２は、図１２〜図１５に示す画面を介して受け付けた設定をＤＲＡＭ４０６に保持しておく。そして、ＣＰＵ４０２は、図１６に示す画面を表示する場合に、製本の設定がされていることを画面に表示させる。そして、図１６に示す画面において「閉じる」キー１７０１が押されると、ＣＰＵ４０２は、図１７に示す画面を表示させる。
【００７０】
図１７に示す画面が表示された状態で、操作部５０１上のスタートキー５０６が押されると、ＣＰＵ４０２は、ＤＲＡＭ４０６に格納された設定に従って、スキャナ部３０１による原稿の読取動作及びプリンタ部３１３による印刷動作を開始する。
【００７１】
以上のような操作を行うことで、ユーザは、製本処理が実行された製本物を手に入れることができる。
【００７２】
しかしながら、フィニッシャ３１５の能力（用紙を綴じる能力や用紙を折る能力）により、一度に処理することができる用紙の枚数には上限がある。例えば、折りローラ４５，４６の能力に限界があるため、用紙は一度に２５枚しか折ることができない。中綴じ処理で画像を印刷するために必要な用紙の枚数が２５枚を超える場合、ＣＰＵ４０２は、各用紙に対して綴じ処理も折り処理も実行せずに、積載トレイ３２８に排紙する。この場合、ユーザは、別途、オフラインフィニッシャと呼ばれる製本専用の用紙後処理装置を用いて、用紙に対して綴じ処理や折り処理を実行して製本物を手に入れる。
【００７３】
製本レイアウト処理を実行して積載トレイ３２８に排紙する場合と、中綴じ製本処理を実行して中綴じ処理トレイ３３１に排紙する場合の画像レイアウトと印刷結果について、図１８（ａ）〜図１８（ｃ）、図１９（ａ）〜図１９（ｄ）を用いて具体的に説明する。
【００７４】
図１８（ａ）〜図１８（ｃ）は、左開きの製本レイアウト処理を実行して積載トレイ３２８に排紙する場合の原稿画像の各ページのレイアウト方法を説明するための図である。
【００７５】
積載トレイ３２８に排紙する場合、例えば、図１８（ａ）の８０１に示す原稿の各ページの画像は、ＤＲＡＭ４０６上で、図１８（ｂ）の８０２に示すようにレイアウトして保持される。そして、レイアウトが完了すると、製本物の外側に該当する用紙の画像から製本物の内側に該当する用紙の画像の順に印刷される。レイアウト後の画像の配置が図１８（ｂ）のようになる場合、ＣＰＵ４０２は、１枚目の表、１枚目の裏、２枚目の表、２枚目の裏、３枚目の表、３枚目の裏という順で印刷する。そして、印刷された用紙を搬送ローラ対３１〜３５により、積載トレイ３２８に排紙させる。そして、排紙された印刷結果は図１８（ｃ）に示すようになる。
【００７６】
図１９（ａ）〜図１９（ｄ）は、左開きの中綴じ製本処理を実行して中綴じ処理トレイ３３１に排紙する場合の原稿画像の各ページのレイアウト方法を説明するための図である。
【００７７】
中綴じ処理トレイ３３１に排紙する場合、図１９（ａ）の９０１に示す原稿の各ページの画像は、ＤＲＡＭ４０６上で、図１９（ｂ）の９０２に示すようにレイアウトして保持される。そして、レイアウトが完了すると、製本物の内側に該当する用紙の画像から製本物の外側に該当する用紙の画像の順に印刷される。レイアウト後の画像の配置が図１９（ｂ）のようになる場合、ＣＰＵ４０２は、１枚目の表、１枚目の裏、２枚目の表、２枚目の裏、３枚目の表、３枚目の裏という順で印刷する。そして、印刷された用紙を搬送ローラ対３１，３７，３８により用紙の後端が後端検知センサ４８にくるまで搬送させた後、搬送ローラ対３７，３８の逆回転により用紙をスイッチバックさせて、搬送パス４１（第２の搬送路）内部に順に蓄積する。そして、綴じ処理を実行した後、折り処理を実行し、中綴じ処理トレイ３３１に排紙させる。そして、排紙された印刷結果は図１９（ｃ）に示すようになる。保持された画像を印刷するために必要な用紙の枚数が２５枚以内である場合、ＣＰＵ４０２は、図１９（ｄ）に示すレイアウト方法で綴じ処理及び折り処理を実行して排紙する。
【００７８】
図１８（ａ）〜図１８（ｃ）、図１９（ａ）〜図１９（ｄ）に示すように、積載トレイ３２８に排紙された製本物と中綴じ処理トレイ３３１に排紙された製本物は綴じ処理と折り処理の有無のみが異なるので、同じ画像レイアウトの２種類の製本物を得られる。
【００７９】
一方、ユーザは、図１１〜図１６を用いて製本処理の設定を行う場合に、図１４に示す画面に含まれる「表紙をつける」ボタン１５０２を押すことで、製本物に表紙をつける機能を利用することができる。例えば、「表紙をつける」ボタン１５０２が選択された状態で、図１４の画面の「次へ」ボタン１５０１が押されると、図２０に示す画面が表示される。ユーザは、図２０に示す画面によって、表紙のどの面に画像を印刷するかを設定することができる。ここでは、表紙のオモテ、表紙のウラ、裏表紙のオモテ、裏表紙のウラの各々に対して「コピーする」、「コピーしない」のいずれかの設定を受け付ける。そして、図２０の画面の「次へ」ボタン１８０１が押されると、図２１に示す画面が表示される。ユーザは、図２１に示す画面を介して、製本物の表紙の用紙サイズを選択する。そして、図２１に示す画面で「次へ」ボタン１９０１が押されると、図１５に示す画面が表示される。
【００８０】
図２２（ａ）〜図２２（ｃ）は、左開きの製本物に表紙をつける製本レイアウト処理を実行して積載トレイ３２８に排紙する場合の原稿画像の各ページのレイアウト方法を説明するための図である。
【００８１】
積載トレイ３２８に排紙する場合、図２２（ａ）の１００１に示す原稿の各ページの画像は、ＤＲＡＭ４０６上で、図２２（ｂ）の１００２に示すようにレイアウトして保持される。そして、レイアウトが完了すると、製本物の表紙に該当する用紙の画像から製本物の本文に該当する用紙の画像の順に印刷される。ここで、坪量の大きな厚紙等、両面印刷ができない用紙を製本物の表紙として使用する場合、スイッチバックして両面印刷用紙搬送路３３０に搬送できないため、表紙の内側に該当する面、すなわち図２０に示すような表紙のウラと裏表紙のオモテのみ印刷可能となる。レイアウト後の画像の配置が図２２（ｂ）のようになる場合、ＣＰＵ４０２は、まず、１枚目の表（表紙）を印刷する。そして、ＣＰＵ４０２は、２枚目の表（本文）、２枚目の裏（本文）、３枚目の表（本文）、３枚目の裏（本文）、４枚目の表（本文）、４枚目の裏（本文）という順で印刷する。そして、印刷された用紙を搬送ローラ対３１〜３５により、積載トレイ３２８に排紙させる。そして、排紙された印刷結果は図２２（ｃ）に示すようになる。
【００８２】
図２３（ａ）〜図２３（ｃ）は、左開きの製本物に表紙をつける中綴じ製本処理を実行して中綴じ処理トレイ３３１に排紙する場合の原稿画像の各ページのレイアウト方法を説明するための図である。
【００８３】
中綴じ処理トレイ３３１に排紙する場合、図２３（ａ）の１１０１に示す原稿の各ページの画像は、ＤＲＡＭ４０６上で、図２３（ｂ）の１１０２に示すようにレイアウトして保持される。そして、レイアウトが完了すると、製本物の本文に該当する用紙の画像から製本物の表紙に該当する用紙の画像の順に印刷される。レイアウト後の画像の配置が図２３（ｂ）のようになる場合、ＣＰＵ４０２は、まず、１枚目の表（本文）、１枚目の裏（本文）、２枚目の表（本文）、２枚目の裏（本文）、３枚目の表（本文）、３枚目の裏（本文）という順で印刷する。そして、最後に、ＣＰＵ４０２は、４枚目の表（表紙）を印刷する。そして、印刷された用紙を搬送ローラ対３１，３７，３８により用紙の後端が後端検知センサ４８にくるまで搬送させた後、搬送ローラ対３７，３８の逆回転により用紙をスイッチバックさせて、搬送パス４１内部に順に蓄積する。そして、綴じ処理を実行した後、折り処理を実行し、中綴じ処理トレイ３３１に排紙させる。そして、排紙された印刷結果は図２３（ｄ）に示すようになる。
【００８４】
図２２（ａ）〜図２２（ｃ）、図２３（ａ）〜図２３（ｄ）に示すように、製本物に表紙をつける場合でも、積載トレイ３２８に排紙された製本物と中綴じ処理トレイ３３１に排紙された製本物は綴じ処理と折り処理の有無のみが差分となる。このため、図２０に示す画面において、両面印刷ができない用紙を製本物の表紙として使用する場合、ユーザは、排紙先に依らず表紙の内側に該当する面のみ印刷可能であることを意識して表紙の設定を行えばよい。
【００８５】
次に、印刷装置における製本処理の流れを図２４Ａ、図２４Ｂを用いて説明する。本処理は、ＣＰＵ４０２が、ＲＯＭ４０４に格納されたプログラムを実行することによって実現される処理である。
【００８６】
図２４Ａにおいて、まず、ＣＰＵ４０２は、スタートキー５０６によってジョブの実行要求を受け付けると処理を開始する。例えば、スキャナ部３０１によって読み取られた原稿の画像をプリンタ部３１３にて印刷するコピージョブの実行要求を受け付けた場合、ＣＰＵ４０２は、原稿の画像をレイアウトして印刷し、印刷された用紙に対して図示の処理を行う。また、外部のＰＣから受け付けた画像をプリンタ部３１３にて印刷するプリントジョブの実行要求を受け付けた場合、ＣＰＵ４０２は、ＰＣから受け付けた画像をレイアウトして印刷し、印刷された用紙に対して図示の処理を行う。
【００８７】
ステップＳ５００１において、ＣＰＵ４０２は、製本が指定されているか否かを判断する。製本が指定されていると判断した場合には、ＣＰＵ４０２は、ステップＳ５００４に処理を進め、製本が指定されていないと判断した場合には、ステップＳ５００２に処理を進める。
【００８８】
ステップＳ５００２に処理を進めた場合、ＣＰＵ４０２は、排紙先を積載トレイ３２８に決定し、ステップＳ５００３に処理を進める。そして、ステップＳ５００３において、ＣＰＵ４０２は、ユーザから受け付けた製本処理以外の設定に基づいて通常の印刷処理を実行する。例えば、フィニッシャ３１５による後処理を実行せず、印刷装置による印刷を行って用紙を排紙する場合がこれに該当する。
【００８９】
一方、ステップＳ５００４に処理を進めた場合、ＣＰＵ４０２は、中綴じ製本指定がされているか否かを判断する。ステップＳ５００４は、第１の判断手段の一例である。中綴じ製本が指定されていると判断した場合には、ＣＰＵ４０２は、ステップＳ５００６に処理を進め、中綴じ製本が指定されていないと判断した場合には、ステップＳ５００５に処理を進める。ステップＳ５００５に処理を進めた場合、ＣＰＵ４０２は、排紙先を積載トレイ３２８に決定し、ステップＳ５＋００９に処理を進める。ステップＳ５００５は排紙先決定手段の一例である。
【００９０】
一方、ステップＳ５００６に処理を進めた場合、ＣＰＵ４０２は、１部あたりの出力枚数を算出し、ステップＳ５００７に処理を進める。図１８（ｂ）に示すように、２ページの画像を１ページにレイアウトする場合、１部あたりの出力枚数は、（総ページ数＋３）／４の計算式により算出される。ステップＳ５００６は算出手段の一例である。
【００９１】
ステップＳ５００７において、ＣＰＵ４０２は、１部あたりの出力枚数がフィニッシャ３１５で処理可能な中綴じ可能枚数を超えているか否かを判断する。ステップＳ５００７は、例えば比較手段の一例である。中綴じ可能枚数を超えていると判断した場合には、ＣＰＵ４０２は、ステップＳ５００５に処理を進め、中綴じ可能枚数を超えていないと判断した場合には、図２４ＢのステップＳ５００８に処理を進める。
【００９２】
ステップＳ５００９において、ＣＰＵ４０２は、表紙をつける指定がされているか否かを判断する。ステップＳ５００９は第２の判断手段の一例である。表紙をつける指定がされていると判断した場合には、ＣＰＵ４０２は、ステップＳ５０１０に処理を進め、表紙をつける指定がされていないと判断した場合には、ステップＳ５０１１に処理を進める。
【００９３】
ステップＳ５０１０に処理を進めた場合、ＣＰＵ４０２は、各ページのレイアウトを図２２（ｂ）に示すような方法で行い、ステップＳ５０１２に処理を進める。
【００９４】
ステップＳ５０１２において、ＣＰＵ４０２は、表紙に該当する用紙に対して画像形成処理を行い、ステップＳ５０１３に処理を進める。
【００９５】
ステップＳ５０１３において、ＣＰＵ４０２は、綴じ処理及び折り処理を実行せずに表紙に該当する用紙を排紙するよう制御し、ステップＳ５０１４に処理を進める。この場合、中綴じ処理トレイ３３１ではなく、積載トレイ３２８に排紙される。
【００９６】
一方、ステップＳ５０１１に処理を進めた場合、ＣＰＵ４０２は、各ページのレイアウトを図１８（ｂ）に示すような方法で行い、ステップＳ５０１４に処理を進める。
【００９７】
ステップＳ５０１４において、ＣＰＵ４０２は、本文に該当する用紙に対して画像形成処理を行い、ステップＳ５０１５に処理を進める。ステップＳ５０１５において、ＣＰＵ４０２は、綴じ処理及び折り処理を実行せずに本文に該当する用紙を積載トレイ３２８に排紙するよう制御する。ステップＳ５００９〜Ｓ５０１５は第１の制御手段の一例である。特に、ステップＳ５０１０は第３の制御手段の一例である。
【００９８】
一方、図２４ＢのステップＳ５００８に処理を進めた場合、ＣＰＵ４０２は、排紙先を中綴じ処理トレイ３３１に決定し、ステップＳ５０１６に処理を進める。ステップＳ５００８は排紙先決定手段の一例である。
【００９９】
次に、ステップＳ５０１６において、ＣＰＵ４０２は、表紙をつける指定がされているか否かを判断する。ステップＳ５０１６は第２の判断手段の一例である。表紙をつける指定がされていると判断した場合には、ＣＰＵ４０２は、ステップＳ５０１７に処理を進め、表紙をつける指定がされていないと判断した場合には、ステップＳ５０１８に処理を進める。このように比較手段の比較結果に基づいて用紙の排紙先が決定される。
【０１００】
ステップＳ５０１７に処理を進めた場合、ＣＰＵ４０２は、各ページのレイアウトを図２３（ｂ）に示すような方法で行い、ステップＳ５０１９に処理を進める。ステップＳ５０１９において、ＣＰＵ４０２は、本文に該当する用紙に対して画像形成処理を行い、ステップＳ５０２０に処理を進める。
【０１０１】
ステップＳ５０２０において、ＣＰＵ４０２は、本文に該当する用紙を搬送ローラ対３７，３８によりスイッチバックさせた後、搬送パス４１内部に順に蓄積するよう制御する。
【０１０２】
ステップＳ５０２１において、ＣＰＵ４０２は、表紙に該当する用紙に対して画像形成処理を行い、ステップＳ５０２２に処理を進める。
【０１０３】
ステップＳ５０２２において、ＣＰＵ４０２は、表紙に該当する用紙を搬送ローラ対３７，３８によりスイッチバックさせた後、搬送パス４１内部に蓄積し、綴じ処理を実行した後、折り処理を実行し、中綴じ処理トレイ３３１に排紙するよう制御する。
【０１０４】
一方、ステップＳ５０１８に処理を進めた場合、ＣＰＵ４０２は、各ページのレイアウトを図１９（ｂ）に示すような方法で行い、ステップＳ５０２３に処理を進める。ステップＳ５０２３において、ＣＰＵ４０２は、本文に該当する用紙に対して画像形成処理を行い、ステップＳ５０２４に処理を進める。
【０１０５】
ステップＳ５０２４において、ＣＰＵ４０２は、本文に該当する用紙を搬送ローラ対３７，３８によりスイッチバックさせた後、搬送パス４１内部に順に蓄積し、綴じ処理を実行した後、折り処理を実行し、中綴じ処理トレイ３３１に排紙するよう制御する。ステップＳ５０１６〜Ｓ５０２４は第２の制御手段の一例である。特に、ステップＳ５０１７は第４の制御手段の一例である。
【０１０６】
以上のように制御することによって画像形成の順序を制御するので、スイッチバック機構を搭載した用紙後処理装置の異なる排紙先でも、ユーザは同じ画像レイアウトの製本物を得ることができる。また、１部あたりの出力枚数が中綴じ可能枚数を超える場合でもユーザは同じ画像レイアウトの製本物を得ることができるので、製本処理を指定する際のユーザの作業効率を向上させることが可能となる。
【０１０７】
なお、上述した実施形態において、フィニッシャ３１５の中綴じ可能枚数が２５枚である場合について説明したが、これらの値に限られるものではない。
【０１０８】
また、上述した実施形態では、製本物を左開きにする場合の原稿画像の各ページのレイアウト方法について説明したが、左開きに限られるものではない。
【０１０９】
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。
【符号の説明】
【０１１０】
３１５  フィニッシャ
４０２  ＣＰＵ
４０４  ＲＯＭ
４０６  ＤＲＡＭ
５０１  操作部
【図１】
2014098757.tif 000003
【図２】
2014098757.tif 000004
【図３】
2014098757.tif 000005
【図４】
2014098757.tif 000006
【図５】
2014098757.tif 000007
【図６】
2014098757.tif 000008
【図７】
2014098757.tif 000009
【図８】
2014098757.tif 000010
【図９】
2014098757.tif 000011
【図１０】
2014098757.tif 000012
【図１１】
2014098757.tif 000013
【図１２】
2014098757.tif 000014
【図１３】
2014098757.tif 000015
【図１４】
2014098757.tif 000016
【図１５】
2014098757.tif 000017
【図１６】
2014098757.tif 000018
【図１７】
2014098757.tif 000019
【図１８】
2014098757.tif 000020
【図１９】
2014098757.tif 000021
【図２０】
2014098757.tif 000022
【図２１】
2014098757.tif 000023
【図２２】
2014098757.tif 000024
【図２３】
2014098757.tif 000025
【図２４Ａ】
2014098757.tif 000026
【図２４Ｂ】
2014098757.tif 000027
【図２５】
2014098757.tif 000028